(57)【要約】    【課題】  シャッタカーテンに付着した雨水が室内に浸入、落下することを防止するパネルシャッタ装置を提供する。    【解決手段】  シャッタカーテン１５を構成するパネル１７の幅端部に側縁部材２３が設けられ、該側縁部材はパネル表面に対して立上がり、雨水の横流れを抑止する立側部３６を有する。    【選択図】          図２
2006037583.tif 000002
【特許請求の範囲】
【請求項１】
シャッタカーテンを構成するパネルの幅端部に側縁部材が設けられ、該側縁部材はパネル表面に対して立上がり、雨水の横流れを抑止する立側部を有することを特徴とするパネルシャッタ装置。
【請求項２】
前記パネルは表面部を有する中空形状であり、前記側縁部材は前記表面部を把持するパネル把持部を具備する請求項１のパネルシャッタ装置。
【請求項３】
前記パネルは表面部を有する中空形状であり、該表面部の下部は下側のパネルの表面部の上部に重合可能であり、前記側縁部材は前記表面部の重合箇所の端縁に当接する上端カバー片を具備する請求項１のパネルシャッタ装置。
【請求項４】
前記側縁部材下端部は下側に位置する側縁部材の上端部にオーバラップ可能に形成された請求項１のパネルシャッタ装置。
【請求項５】
最上位のパネルの上端に幅全長に亘り、前記表面部より立上がる水止めが設けられた請求項１のパネルシャッタ装置。
【発明の詳細な説明】
【技術分野】
【０００１】
本発明は、パネルが屈曲自在に連結されてシャッタカーテンが構成され、該シャッタカーテンによりコンテナ、建屋等の構築構造物の開口部を開閉するパネルシャッタ装置に関するものである。
【背景技術】
【０００２】
車両のコンテナ、荷台等の搬入出口、或は建屋等の構築構造物の出入口、窓等の開口部を開閉する開閉手段としてパネルシャッタ装置があり、更にパネルシャッタ装置の１つとしてオーバヘッドドアがある。
【０００３】
オーバヘッドドアは、複数のパネルを屈曲自在に連結してシャッタカーテンを構成し、該シャッタカーテンをガイドレールに沿って昇降させることで開口部を開閉し、開放状態ではシャッタカーテンは建屋等の構築構造物の天井部に格納される様になっている。
【０００４】
従来のパネルシャッタ装置、例えば特許文献１に示されるコンテナ車に設けられたパネルシャッタ装置について説明する。
【０００５】
図１０中、１はコンテナ車、例えば保冷車であり、該コンテナ車１の荷台にはコンテナ２が設けられ、該コンテナ２の背面は開放され、搬入出口３となっている。
【０００６】
前記コンテナ２の内壁面には、前記搬入出口３から天井に掛渡ってＬ字状のガイドレール４が設けられ、該ガイドレール４は前記搬入出口３に沿った部分が垂直ガイド部４ａ、天井に沿った部分が収納部４ｂとなっている。
【０００７】
前記搬入出口３を開閉するシャッタカーテン５は所要数のパネル６が屈曲自在に連結されて構成され、各パネル６の幅端にはローラ７が回転自在に設けられている。該ローラ７は前記ガイドレール４に転動自在に嵌合し、前記シャッタカーテン５は前記ローラ７を介して前記ガイドレール４に沿って昇降される。
【０００８】
前記コンテナ車１が降雨時に運行された場合、前記ガイドレール４には雨水が付着した状態となる。雨水が付着した状態で、前記シャッタカーテン５を開放し、前記収納部４ｂに収納すると、付着した雨水が前記パネル６とパネル６との継目から、前記コンテナ２の室内に滴落ちる。この為、特許文献１では図１１に示される様に、前記パネル６とパネル６との間をシールして水密構造としている。
【０００９】
該パネル６とパネル６とはジョイントピース８により屈撓自在に連結され、前記パネル６とパネル６間の継目の隙間は発泡ゴム等のパッキン９により封止される。
【００１０】
前記パネル６とパネル６とが屈伸した場合に生じる隙間の変化は、前記パッキン９が弾性変形することにより封止状態が維持される。
【００１１】
従って、特許文献１では前記シャッタカーテン５の収納状態で、該シャッタカーテン５に付着した雨水が前記パネル６とパネル６との継目から前記コンテナ２の室内に滴落ちることが防止される。
【００１２】
然し乍ら、路面は水捌け勾配が設けられる等傾斜していることが多く、前記コンテナ車１が停止した状況によっては幅方向に傾斜する場合があり、この状態で前記搬入出口３を開放すると、格納された前記シャッタカーテン５が傾斜した状態となり、該シャッタカーテン５の幅端から雨水が落下する虞れがある。又、大量の雨水が該シャッタカーテン５に付着すると、該シャッタカーテン５が水平状態であっても、やはり幅端から雨水が落下する虞れがある。
【００１３】
前記コンテナ２内に収納した荷物によっては濡れることが好ましくないものもあり、前記シャッタカーテン５の幅端からの雨水の浸入、落下が防止されることが望まれていた。
【００１４】
【特許文献１】特開平６−５００６５号公報
【発明の開示】
【発明が解決しようとする課題】
【００１５】
本発明は斯かる実情に鑑み、シャッタカーテンに付着した雨水が室内に浸入、落下することを防止するパネルシャッタ装置を提供するものである。
【課題を解決するための手段】
【００１６】
本発明は、シャッタカーテンを構成するパネルの幅端部に側縁部材が設けられ、該側縁部材はパネル表面に対して立上がり、雨水の横流れを抑止する立側部を有するパネルシャッタ装置に係り、又前記パネルは表面部を有する中空形状であり、前記側縁部材は前記表面部を把持するパネル把持部を具備するパネルシャッタ装置に係り、又前記パネルは表面部を有する中空形状であり、該表面部の下部は下側のパネルの表面部の上部に重合可能であり、前記側縁部材は前記表面部の重合箇所の端縁に当接する上端カバー片を具備するパネルシャッタ装置に係り、又前記側縁部材下端部は下側に位置する側縁部材の上端部にオーバラップ可能に形成されたパネルシャッタ装置に係り、更に又最上位のパネルの上端に幅全長に亘り、前記表面部より立上がる水止めが設けられたパネルシャッタ装置に係るものである。
【発明の効果】
【００１７】
本発明によれば、シャッタカーテンを構成するパネルの幅端部に側縁部材が設けられ、該側縁部材はパネル表面に対して立上がり、雨水の横流れを抑止する立側部を有するので、パネルに付着した雨水が横流れし、パネル端縁から回込み或は端縁から落下することが防止される。
【００１８】
又本発明によれば、前記パネルは表面部を有する中空形状であり、前記側縁部材は前記表面部を把持するパネル把持部を具備するので、側縁部材の装着が容易であり、施工後のパネルシャッタ装置に対しても容易に追加装着が可能である。
【００１９】
又本発明によれば、前記パネルは表面部を有する中空形状であり、該表面部の下部は下側のパネルの表面部の上部に重合可能であり、前記側縁部材は前記表面部の重合箇所の端縁に当接する上端カバー片を具備するので、パネルの連結部から雨水が回込み或は落下することが防止される。
【００２０】
又本発明によれば、前記側縁部材下端部は下側に位置する側縁部材の上端部にオーバラップ可能に形成されたので、側縁部材と側縁部材との継目から雨水が回込み或は落下することが防止される。
【００２１】
又本発明によれば、最上位のパネルの上端に幅全長に亘り、前記表面部より立上がる水止めが設けられたので、シャッタカーテンの収納状態での或は収納時に雨水がシャッタカーテン上端から回込み或は落下することが防止される等の優れた効果を発揮する。
【発明を実施するための最良の形態】
【００２２】
以下、図面を参照しつつ本発明を実施する為の最良の形態を説明する。
【００２３】
図１は、パネルシャッタ装置の概略を示している。
【００２４】
開口部１１から天井に掛渡ってＬ字状のガイドレール１２が配設され、前記開口部１１に沿って側柱１３が設けられ、前記ガイドレール１２の垂直ガイド部１２ａは前記側柱１３に固定され、前記ガイドレール１２の天井に沿った収納部１２ｂは固定部材１４を介して天井（図示せず）に固定されている。
【００２５】
前記ガイドレール１２にはシャッタカーテン１５がローラ１６を介してガイドされており、前記シャッタカーテン１５は前記ガイドレール１２に沿ってスライドし、前記開口部１１を開閉すると共に開放時には前記収納部１２ｂに略水平状態で収納される様になっている。
【００２６】
前記シャッタカーテン１５は、所要数のパネル１７が屈曲自在に連結された構成となっており、各パネル１７の幅端には前記ローラ１６が回転自在に設けられ、該ローラ１６は前記ガイドレール１２に転動自在に嵌合している。
【００２７】
前記開口部１１の上方には水平な巻取シャフト１８を具備する開閉装置２０が設けられている。
【００２８】
前記巻取シャフト１８は回転自在に設けられ、図示しない開閉モータ等の駆動装置により回転される様になっている。前記巻取シャフト１８の両端部にはドラム１９が設けられ、該ドラム１９に巻付けられたワイヤ２１が前記シャッタカーテン１５の下端部に係着されている。又、前記巻取シャフト１８にはバランススプリング２２が設けられ、該バランススプリング２２は前記ワイヤ２１を介して前記シャッタカーテン１５を上昇方向に付勢している。
【００２９】
前記開口部１１が開かれる場合は、前記開閉装置２０により前記巻取シャフト１８を介し前記ドラム１９が回転されることで前記ワイヤ２１が前記ドラム１９に巻取られ、前記シャッタカーテン１５が前記垂直ガイド部１２ａに沿って引上げられ、更に前記収納部１２ｂに格納される様になっている。
【００３０】
又、前記開口部１１が閉じられる場合は、前記開閉装置２０により前記巻取シャフト１８を介して前記ドラム１９が逆方向に回転され、前記ワイヤ２１が繰出されて前記シャッタカーテン１５が降下され、前記開口部１１が閉じられる。
【００３１】
次に、前記シャッタカーテン１５、前記パネル１７について図２、図３を参照して説明する。
【００３２】
前記シャッタカーテン１５は前記パネル１７が屈曲自在に連結され、又各パネル１７の幅端部に側縁部材２３ａ，２３ｂが取付けられて構成されている。
【００３３】
前記パネル１７は押出し成形、引抜き成形により一体成形されたものであり、断面は中空の平板形状を有し、所要箇所（図示では２箇所）にリブ部２４が形成され、表面部２５と裏面部２６とが連結されている。
【００３４】
前記パネル１７の下端部に雄型連結部２７、上端部に雌型連結部２８が形成されている。前記雄型連結部２７は図３中右部分が欠切された円筒部を有するフック形状をし、該雄型連結部２７の外面側には該雄型連結部２７と同心の円弧溝２９が形成されている。又、前記表面部２５の下端部は、前記雄型連結部２７より更に下方に延出する延出端部３０となっている。
【００３５】
前記雌型連結部２８は前記雄型連結部２７が内嵌可能な円筒状の凹部３１を有し、該凹部３１は図３中、右上部が開放され、前記パネル１７の上端より上方に向って延出し前記凹部３１の一部を形成する円筒状舌片３２を有している。前記表面部２５の上端部には凹段差部３３が形成され、該凹段差部３３には前記延出端部３０が重合する様になっている。
【００３６】
前記パネル１７の連結は、上側のパネル１７と下側のパネル１７とを傾斜させ、前記雌型連結部２８の欠切部から前記雄型連結部２７を嵌込み、上側のパネル１７と下側のパネル１７を略直線状に伸ばすことで行われる。伸ばした状態では、前記雄型連結部２７の円筒部と前記雌型連結部２８の円筒部とが嵌合し、又前記円筒状舌片３２が前記円弧溝２９に嵌入するので、前記パネル１７同士が外れることはなくなる。又、前記雄型連結部２７の円筒部と雌型連結部２８の円筒部とが嵌合している範囲内で、前記パネル１７同士は外れることなく屈伸自在となる。
【００３７】
上下のパネル１７が連結された状態で、該パネル１７の下端部両幅側には、ずれ止め３４が固着される。該ずれ止め３４は、前記円弧溝２９の幅端を閉塞するものであり、前記円筒状舌片３２が前記円弧溝２９より幅方向に突出することを規制する。又、前記凹段差部３３の上端と前記円筒状舌片３２の基端の境界部にはシール部材４０が設けられ、上下のパネル１７，１７が直線状態となった場合に前記シール部材４０が前記延出端部３０の裏面基部に密着して上下のパネル１７の連結部を水密にシールする様になっている。
【００３８】
次に、前記側縁部材２３ａ，２３ｂはモールド成形品であり、アルミ製、好ましくは合成樹脂製である。
【００３９】
該側縁部材２３ａ，２３ｂは対称形状であり、以下は一方の側縁部材２３ａについて、図５〜図８を参照して説明する。
【００４０】
該側縁部材２３ａの断面は、図７に見られる様に略Ｌ字形状であり、前記パネル１７の表面部２５に密着する底片部３５と該底片部３５に対して直角に立上がる立側部３６から構成されている。又、前記底片部３５は前記表面部２５との密着性が向上する様に、先端部に向って板厚が漸次減少している。
【００４１】
前記側縁部材２３ａの所要箇所、図示では２箇所にパネル把持部３７が形成されている。
【００４２】
該パネル把持部３７は、図８に見られる様に、前記立側部３６の反対側に前記底片部３５に対向する様に形成された把持片３８を有し、該把持片３８は前記底片部３５との間に前記表面部２５が嵌入する把持溝３９を形成する。又、該把持溝３９は開放端に向って幅が狭くなっており、前記表面部２５が前記把持溝３９に嵌入した状態では前記把持片３８の弾性変形により、把持力が発生する様になっている。
【００４３】
前記底片部３５の下端部は、前記表面部２５から離反する様に傾斜し、前記立側部３６の下端部は前記パネル１７の幅縁から中心側に向って傾斜する先細り形状をしている。又、前記立側部３６の上端部には、前記底片部３５を越えて上端カバー片４１が延出成形されている。
【００４４】
前記側縁部材２３ａ，２３ｂの前記パネル１７への装着は、前記パネル把持部３７に前記表面部２５を嵌入することで行われる。従って、前記側縁部材２３ａ，２３ｂの装着は容易であり、パネルシャッタ装置の施工後の装着も可能であり、又該側縁部材２３ａ，２３ｂが損傷した場合の交換も容易に行える。
【００４５】
該側縁部材２３ａ，２３ｂの装着状態では、該側縁部材２３ａ，２３ｂの下端部が前記表面部２５の延出端部３０より更に下方に延出し、又前記上端カバー片４１が前記凹段差部３３の幅端に当接し、密着する様になっている。
【００４６】
以下、図２を参照して前記側縁部材２３ａ，２３ｂ（以下側縁部材２３と称す）の作用について説明する。
【００４７】
前記シャッタカーテン１５が引上げられ、収納される過程では前記パネル１７は垂直状態から、傾斜し更に水平状態（収納状態）に変化する。
【００４８】
上下のパネル１７，１７が垂直状態、水平状態では、上側のパネル１７の前記側縁部材２３の下端部は下側のパネル１７の側縁部材２３の上端部にオーバラップしており、上側の側縁部材２３の下端部は前記表面部２５から離反し、又先細り形状となっていることから上側の前記側縁部材２３の下端部と下側の側縁部材２３の上端部とは干渉することがない。
【００４９】
前記シャッタカーテン１５が閉じられた状態（パネル１７，１７が垂直状態）で、横殴りの雨が前記シャッタカーテン１５に吹付けた場合、前記側縁部材２３は前記パネル１７の表面部２５に付着した雨水が幅縁から回込むのを防止する。
【００５０】
又、パネルシャッタ装置がコンテナ車１に設けられ、該コンテナ車１が幅方向に傾斜している状態では、前記シャッタカーテン１５が引上げられ、前記パネル１７が前記ガイドレール１２の屈曲部で傾斜し、或は前記収納部１２ｂで水平状態となった場合、前記表面部２５に付着した雨水は、前記パネル１７の幅方向に流れる（横流れする）。
【００５１】
該パネル１７が傾斜している状態では、前記側縁部材２３は前記パネル１７の幅縁から雨水が落下することを防止し、前記側縁部材２３の下端部が前記パネル１７の下端より更に延出しているので、雨水は下側の側縁部材２３の前記底片部３５上に導かれる。
【００５２】
又、前記パネル１７が水平な状態となって、雨水が前記パネル１７の幅方向に流れても、前記側縁部材２３が幅端からの落下を防止し、雨水が付着した前記パネル１７が前記収納部１２ｂに収納されても、雨水が室内を濡らすことはない。尚、上述した様にパネル１７とパネル１７との連結部は前記シール部材４０によりシールされている。
【００５３】
又、前記上端カバー片４１は、前記延出端部３０と前記凹段差部３３が重合した状態で前記延出端部３０と前記凹段差部３３間の間隙に染込んだ雨水が前記パネル１７とパネル１７との連結部から落下することを防止する。
【００５４】
尚、前記シャッタカーテン１５の最上位のパネル１７ａについては、図９に示されるものを用いてもよい。
【００５５】
該パネル１７ａの上端部には雌型連結部２８は形成されず、表面部２５の上端部が鉤形状に立上がり水止め４３が幅全長に亘り形成されている。該水止め４３が形成されることで、コンテナ車１を坂道に停止して、コンテナ２への搬入出作業を行う場合に、最上位のパネル１７ａの上端から雨水が前記コンテナ２の室内に流落ちることを防止でき、或は前記パネル１７ａを収納した際の雨水の慣性により該パネル１７ａの上端から雨水が前記コンテナ２の室内に流落ちることが防止できる。尚、前記水止め４３は前記パネル１７ａと別体とし、別途垂直ガイド部１２ａの上端に取付ける様にしてもよい。
【００５６】
尚、上記説明ではパネルシャッタ装置がコンテナ車１に設けられた場合を説明したが、建屋の出入口等の開口部にも同様に設けられることは言う迄もない。
【００５７】
又、前記パネル把持部３７は前記側縁部材２３に対して部分的に形成されたが、全長に亘って設けられてもよく、或は前記パネル把持部３７を省略して前記底片部３５を前記表面部２５に螺子止めしてもよい。この場合、前記パネル１７が、中空部に断熱用部材が充填された断熱用のパネルであっても側縁部材２３の取付けが可能となる。或は、前記底片部３５、前記パネル把持部３７を省略し、前記立側部３６に前記パネル１７の中空部に圧入される嵌合部を設け、前記側縁部材２３を前記パネル１７の幅端に取付ける様にしてもよい等、前記側縁部材２３は種々変更が可能であり、雨水の幅端から回込みを防止する立側部３６を具備していればよい。
【００５８】
又前記パネル１７と側縁部材２３との間にパッキンの様な弾性部材を挟込んだり、側縁部材同士の接触する部位にシール材を設けて、水密性を更に高めてもよい。
【００５９】
更に、前記パネル１７は一体成形品について説明したが、平板の組合わせで成形したものであってもよく、又中空形状でなくてもよい。
【図面の簡単な説明】
【００６０】
【図１】本発明が実施されるパネルシャッタ装置の概略を示す斜視図である。
【図２】本発明の実施の形態に係るシャッタカーテンを示す要部側面図である。
【図３】該シャッタカーテンのパネルを示す側面図である。
【図４】該パネルの部分正面図である。
【図５】該パネルに装着される側縁部材の側面図である。
【図６】該側縁部材の正面図である。
【図７】図５のＡ−Ａ矢視図である。
【図８】図５のＢ−Ｂ矢視図である。
【図９】本発明に係るパネルシャッタ装置のパネルの他の形態を示す側面図である。
【図１０】従来例を示す斜視図である。
【図１１】該従来例のシャッタカーテンのパネル連結部を示す断面図である。
【符号の説明】
【００６１】
１１            開口部
１２            ガイドレール
１２ｂ          収納部
１５            シャッタカーテン
１７            パネル
２３            側縁部材
２５            表面部
２７            雄型連結部
２８            雌型連結部
３０            延出端部
３３            凹段差部
３５            底片部
３６            立側部
３７            パネル把持部
４１            上端カバー片
４３            水止め
【図１】
2006037583.tif 000003
【図２】
2006037583.tif 000004
【図３】
2006037583.tif 000005
【図４】
2006037583.tif 000006
【図５】
2006037583.tif 000007
【図６】
2006037583.tif 000008
【図７】
2006037583.tif 000009
【図８】
2006037583.tif 000010
【図９】
2006037583.tif 000011
【図１０】
2006037583.tif 000012
【図１１】
2006037583.tif 000013